(57)【特許請求の範囲】
【請求項１】
被検体の横隔膜を含む胸部を撮像して得られた、体幅方向をＸ軸、それに直交する方向をＹ軸とする２次元画像のデータを読み込む画像読込手段と、
前記２次元画像の前記Ｙ軸方向に並んだ画素の画素値を加算平均した値をＸ軸に沿ってプロットしたプロファイルを生成し、前記プロファイルにおいてＸ軸方向に予め定めた画素数離れた二点の前記加算平均値の比を求め、前記加算平均値の比が最大になるＸ軸上の位置を、前記２次元画像のＸ軸方向の中央位置の左右それぞれについて求め、求めたＸ軸上の位置を体側位置とする体側位置検出手段と、
前記２次元画像の左右の前記体側位置の間の領域に関心領域を設定し、その関心領域内のＸ軸方向に並んだ画素値の最大値をＹ軸に沿ってプロットしたプロファイルを生成し、前記プロファイルにおいてＹ軸方向に予め定めた画素数離れた二点の前記最大値の比を求め、前記最大値の比が最大になるＹ軸上の位置を求め、求めたＹ軸上の位置を横隔膜の位置とする横隔膜位置検出手段と、
前記２次元画像の前記横隔膜の位置においてＸ軸方向に並んだ画素の画素値を用いて、前記被検体の横隔膜位置における左右それぞれの皮膚線位置を求める皮膚線位置検出手段と、
前記左の皮膚線位置よりも所定画素数左側を左トリミング枠の位置とし、前記右の皮膚線位置よりも所定画素数右側を右トリミング枠の位置として設定するトリミング枠設定手段と、
前記左トリミング枠及び右トリミング枠を前記２次元画像データ上に重畳表示した表示データを生成する表示データ生成手段と、
を備えることを特徴とする画像処理装置。
【請求項２】
請求項１に記載の画像処理装置において、前記皮膚線位置検出手段は、前記２次元画像の前記横隔膜の位置のＸ軸方向に並んだ画素の画素値について、予め定めた画素数離れた二画素の前記画素値の比を求め、前記画素値の比が最大になるＸ軸上の位置を求め、求めたＸ軸上の位置を前記皮膚線位置とすることを特徴とする画像処理装置。
【発明の詳細な説明】
【技術分野】
【０００１】
本発明は、画像処理装置に係り、特にＸ線撮影画像の最適なトリミング枠を表示する技術に関する。
【背景技術】
【０００２】
Ｘ線撮影画像には、被検体の診断に不要な部位が写ることがある。例えば、被検体の呼吸器の診断を行う場合、胸部正面画像内に写り込んだ被検体の腕領域は、呼吸器の診断にとって不要な部位である。そのため、診療放射線技師は、肺野領域が欠けることなくフイルムやモニタに対して肺野領域が左右均等に配置された画像を作成するため、腕領域などの不要な部位を含まないようトリミング枠の位置を微調整する作業を行った後、診断医に肺野領域の画像を提供している。
【０００３】
このトリミング枠位置の設定を自動化する技術として、特許文献１には、フイルムに対し、被検体領域が表示されない部分が上下左右均等となるようにトリミング座標の左上端及び右下端部を決定する画像出力情報設定方法が開示されている。
【特許文献１】特開２００４−３３７２９１号公報
【発明の開示】
【発明が解決しようとする課題】
【０００４】
しかしながら、上記の方法では、Ｘ線の照射野に対して肺野の位置がずれていた場合には、画像中の被検体領域において左右均等に肺野領域が撮影されていないため、フイルムに対して被検体領域を左右均等に配置しても、肺野領域を左右均等に配置することができず、最適なトリミング位置を決定することはできない。
【０００５】
本発明はこのような事情を鑑みてなされたもので、Ｘ線の照射野の中央から撮影を所望する被検体部位がずれて撮影された場合にも、位置ずれに追従してトリミング枠を設定することを目的とする。
【課題を解決するための手段】
【０００６】
上記目的を達成するために、本発明に係る画像処理装置は、被検体が撮像された２次元画像の画像データから、前記被検体の体側が撮影された位置を検出し、その位置に基づいてトリミング枠の位置を設定する画像処理装置として構成する。
【０００７】
より詳しくは、本発明にかかる画像処理装置は、被検体を撮像して得られた２次元画像データを読み込む画像読込手段と、前記２次元画像データの画素値に基づいて、前記２次元画像データにおける前記被検体の体側位置の座標を検出する体側位置検出手段と、前記検出手段により体側位置の座標が検出された場合、前記体側位置の座標よりも所定画素数外側にトリミング枠の位置を複数設定するトリミング枠設定手段と、前記トリミング枠を前記２次元画像データ上に重畳表示した表示データを生成する表示データ生成手段と、を備えることを特徴とする。
【０００８】
また、本発明にかかる画像処理装置は、被検体の横隔膜を含む胸部を撮像して得られた２次元画像データを読み込む画像読込手段と、前記２次元画像データの画素値に基づいて、前記２次元画像データにおける横隔膜の領域のＹ座標を検出する横隔膜位置検出手段と、前記検出されたＹ座標においてＸ軸方向に並んだ画素の画素値に基づいて、前記被検体の横隔膜位置における左右それぞれの皮膚線位置のＸ座標を検出する皮膚線位置検出手段と、前記左の皮膚線位置のＸ座標よりも所定画素数左側に左トリミング枠の位置を設定するとともに、前記右の皮膚線位置のＸ座標よりも所定画素数右側に右トリミング枠の位置を設定するトリミング枠設定手段と、前記左トリミング枠及び右トリミング枠を前記２次元画像データ上に重畳表示した表示データを生成する表示データ生成手段と、を備えることを特徴とする。
【０００９】
ここでいう「Ｘ座標」とは、画像に撮影された被検体の体幅方向にほぼ沿った方向をＸ軸方向（「左右方向」、「横方向」ということもある。）と定義し、かつ、画像に撮影された被検体の体軸方向にほぼ沿った方向をＹ軸方向（「縦方向」ということもある。）と定義した場合に、画素位置を（Ｘ、Ｙ）の２次元座標で表した場合のＸ座標を意味するものとする。以下の「Ｙ座標」についても同様に、本明細書におけるＹ座標とは、上記のＸ軸及びＹ軸の定義の下、画素位置を（Ｘ、Ｙ）の２次元座標で表した場合のＹ座標を意味するものとする。
【００１０】
また、本発明にかかる画像処理装置は、被検体の横隔膜を含む胸部を撮像して得られた２次元画像データを読み込む画像読込手段と、前記２次元画像データの画素値に基づいて、前記２次元画像データにおける前記被検体の左右それぞれの体側位置のＸ座標を検出する体側位置検出手段と、前記被検体の左右それぞれの体側位置のＸ座標に基づいて関心領域を設定し、その関心領域内の画素値に基づいて、前記２次元画像データにおける横隔膜の領域のＹ座標を検出する横隔膜位置検出手段と、前記検出されたＹ座標においてＸ軸方向に並んだ画素の画素値に基づいて、前記被検体の横隔膜位置における左右それぞれの皮膚線位置のＸ座標を検出する皮膚線位置検出手段と、前記左の皮膚線位置のＸ座標よりも所定画素数左側に左トリミング枠の位置を設定するとともに、前記右の皮膚線位置のＸ座標よりも所定画素数右側に右トリミング枠の位置を設定するトリミング枠設定手段と、前記左トリミング枠及び右トリミング枠を前記２次元画像データ上に重畳表示した表示データを生成する表示データ生成手段と、を備えることを特徴とする。
【発明の効果】
【００１１】
本発明によれば、Ｘ線の照射野の中央から撮影を所望する被検体部位がずれて撮影された場合にも、位置ずれに追従してトリミング枠を設定することができる。
【発明を実施するための最良の形態】
【００１２】
以下、添付図面に従って本発明に係る画像表示システムの好ましい実施の形態について詳説する。
【００１３】
本実施形態では、本発明を適用された画像処理装置が、１７×１７インチの大視野検出器を備えたＸ線撮像装置により撮影された被検体の胸部正面画像を取り込んで、半切サイズ（横１４インチ×縦１７インチ）の画像を生成するためのトリミング枠を設定する。そして、放射線技師が、上記画像処理装置に接続された画像表示装置によりトリミング枠をプレビューする場合を例に説明する。
【００１４】
図１は本発明の一実施形態にかかる画像処理装置を用いた画像表示システムの概略構成図である。画像表示システム１は、病院や健診センター内のＸ線撮影室に設置されたＸ線撮像装置２及びＸ線撮像装置２に接続された画像処理装置１０と、医用画像データを格納する画像データベース３と、診断医が操作する端末装置５とが、ＬＡＮ４を介して互いに接続されて構成される。画像処理装置１０は、放射線技師が操作する端末装置であり、Ｘ線撮像装置２により得られた画像の他、ＬＡＮ４を介して画像データベース３に格納された画像を取得し、それらの画像にトリミング枠を重畳表示してプレビュー表示する。本実施形態では、院内に設置されたＸ線撮像装置２及び画像データベース３からの画像を対象としたが、Ｘ線撮像装置を搭載した検診車両に画像処理装置１０に搭載して本実施形態と同様の処理を行ってもよいし、検診車両で収集した画像データを画像処理装置１０で読み込んで同様の処理を行ってもよい。
【００１５】
Ｘ線撮像装置２は、胸部正面のＸ線画像データを収集する手段として、被検体を透過してセンサに入力したＸ線強度分布をデジタル画像データに変換するＸ線検出器を備える。本実施形態では、Ｘ線の入射面が１７インチ×１７インチサイズのＦＰＤ（Flat Panel Detector）を用いる。
【００１６】
画像処理装置１０は、液晶モニタ、ＣＲＴ等からなる画像表示装置１５と、画像表示装置１５上のソフトスイッチを操作するためのマウス１６、トラックボール、タッチパネル等のポインティングデバイス（図示を省略）と、各種パラメータ設定用のキーやスイッチを備えたキーボード１７と、が接続され、主として各構成要素の動作を制御する中央処理装置（ＣＰＵ）１１と、主メモリ１２と、データ記録装置１３と、画像表示装置１５に表示するための表示データを一時記憶する表示メモリ１４と、上記ポインティングデバイスのコントローラ１６ａと、画像処理装置１０をＬＡＮ４、電話回線、インターネット等のネットワークに接続するためのネットワークアダプタ１８と、上記各構成要素を接続するデータバス１９とにより構成される。データ記録装置１３は、画像処理装置１０に内蔵又は外付けされたメモリ、ハードディスク等の記憶装置や、取り出し可能な外部メディアに対してデータの書き込みや読み出しを行う装置や、外部記憶装置とネットワークを介してデータを送受信する装置でもよい。
【００１７】
図２は、画像処理装置１０にインストールされる画像処理プログラムを示すブロック図である。
【００１８】
画像処理プログラムは、Ｘ線撮像装置２により得られるＸ線画像データを読み込む画像読込部１１ａと、読み込んだＸ線画像データに撮影されている被検体の体側の位置を検出する体側位置検出部１１ｂと、横隔膜の位置を検出する横隔膜位置検出部１１ｃと、横隔膜位置における皮膚線の位置、すなわち、被検体の体軸方向における横隔膜位置での体側位置を検出する皮膚線位置検出部１１ｄと、皮膚線の位置における体側位置に基づいてトリミング枠位置を設定するトリミング枠設定部１１ｅと、Ｘ線画像データにトリミング枠を重畳表示した表示データを生成する表示データ生成部１１ｆと、を備える。
【００１９】
本実施形態においては、画像読込部１１ａは、Ｘ線撮像装置２のＦＰＤからＸ線画像データを受信して読み込んだが、画像データベース３やデータ記録装置１３に記録されたＸ線画像データを読み込んでもよい。これらのプログラムは主メモリ１２にロードされ、ＣＰＵ１１により実行させることによりその機能を果たす。
【００２０】
図３は、以上のように構成された画像処理装置１０によって、トリミング枠を設定・表示する処理の一例を示すフローチャートである。ＣＰＵ１１はこのフローチャートに従って画像処理装置１０を制御する。以下では各々のステップについて説明する。
【００２１】
（ステップＳ１）
ステップＳ１では、画像読込部１１ａは、Ｘ線撮像装置２が被検体の胸部正面画像を撮像して得たＸ線画像データを読み込み、主メモリ１２に展開する（Ｓ１）。
【００２２】
（ステップＳ２）
ステップＳ２では、体側位置検出部１１ｂが、ステップＳ１で収集した胸部正面画像のＸ線画像データから被検体の体側位置を検出する（Ｓ２）。具体的には、体側位置検出部１１ｂは、図４（a）の示す画像４０を縦方向に加算平均し、その値をプロットした画素値プロファイル（図４（ｂ））を作成する。次に、画像４０の横方向の中央位置（位置Ｘ＝Ｘ１＝ＲＸ／２＝１５００、ＲＸ：画像の横サイズ、例：３０００画素）
から左側に、式（１）により画素値の比Ｑ（Ｘ）を計算する。
【００２３】
【数１】
0005228228.tif 000002
同様に、体側位置検出部１１ｂは、画像の中央（位置Ｘ=Ｘ1）から右側に、式（２）により画素値の比Ｑ（Ｘ）を計算する。
【数２】
0005228228.tif 000003
ここで、aは画素値の比Ｑ（Ｘ）を計算するにあたり、どの程度注目画素から離れた二点の画素値の比を計算するかを決定するための値であって、例えば、１画素のサイズは１４０μｍであり、画像サイズは３０００×３０００画素である場合、１ｃｍ（＝２ａ＝２×３５×１４０μｍ＝９．８ｍｍ）離れた位置で、画素値の比を計算したいとすれば、ａ＝３５とすることにより、７０画素離れた二点の画素値の比を計算することができる。
【００２４】
次に、体側位置検出部１１ｂは、式（１）及び式（２）の計算結果をＸ軸方向に並べてプロットし、図４（ｃ）に示す画素値比プロファイル（２）を作成する。そして、画素値比プロファイル（２）におけるＸ軸方向の位置Ｘ＝０〜Ｘ1において、画素値の比の傾きが最大値となる位置（Ｘ２）を探索する。同様に、Ｘ軸方向の位置Ｘ＝Ｘ１〜ＲＸ−1における画素値の比の傾きが最大値となる位置（Ｘ３）を探索する。
【００２５】
このように、Ｘ線画像データの画素値Ｐ（Ｘ）（検出器への入射線量に比例して値が増加する）そのものではなく、画素値の比Ｑ（Ｘ）を利用することで、Ｘ線の入射線量の絶対量に依存しないプロファイルを計測できるため、安定したプロファイルを取得でき、安定した体側位置を検出することができる。
【００２６】
（ステップＳ３）
横隔膜位置検出部１１ｃは、ステップＳ２で得られた体側位置（Ｘ２、Ｘ3）を基に横隔膜位置を検出する（Ｓ３）。横隔膜は、被検体の内部組織であるため、当然ながら左右の体側よりも体の中心部寄りに位置しており、Ｘ線画像上では、ステップＳ２で得られた左体側位置（Ｘ２）と右体側位置（Ｘ3）との間に撮影されている。そこで、横隔膜位置検出部１１ｃは、体側位置（Ｘ２、Ｘ3）よりも体の中心部寄りに関心領域（以下「ＲＯＩ」という。）５０を設定し、そのＲＯＩ５０内の各ライン（Ｘ軸方向に並んだ画素）の画素値Ｐ（Ｙ）の最大値Ｍ（Ｙ）を検出し、その最大値の比Ｎ（Ｙ）が最も大きいところを横隔膜位置の縦方向位置（Ｙ座標位置）として検出する。
【００２７】
以下、図５に従って本ステップの処理を説明する。
【００２８】
横隔膜位置検出部１１ｃは、ステップＳ２で得られた体側位置（Ｘ２、Ｘ３）を基に、式（３）によりＲＯＩ５０のＸ軸方向の左端のＸ座標を、式（４）によりＲＯＩ５０のＸ軸方向の右端のＸ座標を設定する。
【００２９】
（数３）
Ｘ４＝（Ｘ２＋Ｘ３）／２−０．２５×（Ｘ３―Ｘ２）・・・（３）
（数４）
Ｘ５＝（Ｘ２＋Ｘ３）／２＋０．２５×（Ｘ３―Ｘ２）・・・（４）
【００３０】
上記により、Ｘ＝Ｘ４を左端とし、Ｘ＝Ｘ５を右端とするＲＯＩ５０を設定（図５（ａ）参照）した後、ＲＯＩ５０内の各ライン上の画素値の最大値Ｍ（Ｙ）を抽出し最大値プロファイルを作成する（図５（ｂ））。
【００３１】
そして、図５（ｂ）の最大値プロファイル上の最大値の比Ｎ（Ｙ）を式（５）により計算し、画素値の最大値の比Ｎ（Ｙ）を示す最大値比プロファイルを作成する（図５（ｃ））。
【００３２】
【数５】
0005228228.tif 000004
ここでbは、どの程度離れた二点の画素値の最大値Ｍ（Ｙ）の比Ｎ（Ｙ）を計算するかを決定する数値であり、ステップＳ２と同様、例えばｂ＝３５とすると、１cm離れた位置の画素値の最大値の比を計算することができる。
【００３３】
次に、横隔膜位置検出部１１ｃは、Ｘ線画像４０の縦方向の中央（Ｙ1＝ＲＹ／２＝１５００、ＲＹ：画像の縦サイズ、例３０００画素）から下側において、最大値の比が最大になる位置Ｙ２を探索する。一般に、横隔膜付近では、画素値の比の変化が大きいため、最大値の比が最大になる点を検出することにより横隔膜の位置のＹ座標を検出することができる。
【００３４】
（ステップＳ４）
皮膚線位置検出部１１ｄは、ステップＳ３で求めた横隔膜位置のＹ座標に基づいて、横隔膜位置の皮膚線の位置を検出する（Ｓ４）。以下、図６に基づいて本ステップの処理を説明する。皮膚線位置検出部１１ｄは、図６（a）に示すように、画像４０における横隔膜のＹ座標位置（Ｙ＝Ｙ２）における１ライン（または数ライン）の画素値Ｐ（Ｘ）のプロファイル（図６（ｂ））を作成する。次に、画像４０のＸ軸方向における中央位置（Ｘ=Ｘ６＝ＲＸ／２＝１５００、ＲＸ：画像の横サイズ、例：３０００画素）から左に関して、式（６）により、画素値の比Ｑ（Ｘ）を計算する。同様に、Ｘ線画像４０のＸ軸方向の中央から右に関して、式（７）により、画素値の比Ｑ（Ｘ）を計算する。
【００３５】
【数６】
0005228228.tif 000005
【数７】
0005228228.tif 000006
ここでｃは、どの程度離れた二点の画素値P（Ｘ）の比を計算するかを決定するであり、ステップ２、３と同様、例えばｃ＝３５とすると、１cm離れた位置の画素値の比Ｑ（Ｘ）を計算することができる。
【００３６】
皮膚線位置検出部１１ｄは、画像４０におけるＸ軸方向中央位置Ｘ６よりも左側において画素値の比Ｑ（Ｘ）が最大となる位置Ｘ7を検出し、同様に、Ｘ軸方向中央位置Ｘ６よりも右側における画素値の比Ｑ（Ｘ）が最大となる位置Ｘ８を検出する。このようにして、横隔膜位置における皮膚線のＸ座標位置（Ｘ7、Ｘ８）が得られる。
【００３７】
（ステップＳ５）
トリミング枠設定部１１ｅは、図７に示すように、ステップＳ４で求めた横隔膜位置における左側皮膚線のＸ座標位置Ｘ7よりも固定の幅、ｄ画素左寄りに、左トリミング枠のＸ座標Ｘ９を設定し（式（８））、右側皮膚線のＸ座標位置Ｘ８よりも固定の幅、ｄ画素右寄りに、右トリミング枠のＸ座標Ｘ１０を設定する（式（９））。
【００３８】
（数８）      Ｘ９＝Ｘ７−ｄ・・・（８）
（数９）    Ｘ１０＝Ｘ７＋ｄ・・・（９）
なお、Ｘ９が０以下の場合は、Ｘ９=０とし、Ｘ１０がＲＸ−1を超える場合には、Ｘ１０＝ＲＸ−1とする。
【００３９】
（ステップＳ６）
表示データ生成部１１ｆは、ステップＳ５でもとめた左右トリミング枠のＸ座標Ｘ９、Ｘ１０に基づいて、左右のトリミング枠のＸ座標がＸ９、Ｘ１０、上下のトリミング枠のＹ座標が上端のＹ座標Ｙ０および下端のＹ座標ＲＹ−１とするトリミング枠８０を画像４０に重畳表示した表示データを生成し、表示メモリ１４に格納した後、画像表示装置１５に出力・表示する（Ｓ６）。
【００４０】
図８に画像表示装置１５に表示されたＸ線画像４０とトリミング枠８０との一例を示す。図８のトリミング枠８０は、被検体の横隔膜位置における皮膚線から固定の幅、ｄ画素ほど左右に広がったトリミング枠８０である。診療放射線技師は、画像表示装置１５に表示されたトリミング枠８０の位置をプレビュー画面で確認し、このトリミング枠８０に沿ってトリミング加工をすることにより、照射野に対して被検体のずれがあった場合にも、常に、被検体の体側から左右均等に固定の幅、ｄ画素の余白を備えたＸ線画像を作ることができる。これにより、トリミング枠の左右位置を設定するためのマニュアル操作が不要となり、一般撮影検査のワークフローの向上が期待できる。
【００４１】
本実施形態では、胸部正面撮影において、横隔膜位置の皮膚線位置を基準としたトリミング枠の左右位置を設定するため、呼吸器の診断に必須な肺野の右下や左下にある肋横角画像情報が欠けることなく、肺野領域を左右均等に配置することができる。
【００４２】
上記実施形態では、体側位置検出部１１ｂ、横隔膜位置検出部１１ｃ、及び皮膚線位置検出部１１ｄが近接する二点の画素値および最大値の比を計算することにより、画素値の変化が大きいところを検出したが、画素値及び最大値の比に代えて、式（１０）、式（１１）に示すように二点の画素値及び最大値の差が所定の閾値α、β以上のところを画素値の変化が大きい点として検出してもよい。
【００４３】
（数１０）
｜Ｐ（Ｘ＋ａ）−Ｐ（Ｘ−ａ）｜≧α・・・（１０）
（数１１）
｜Ｍ（Ｙ＋ｂ）−Ｍ（Ｙ−ｂ）｜≧β・・・（１１）
【００４４】
また、上記実施形態では、ステップＳ２で体側の左右の位置を検出し、その体側位置に基づいてＲＯＩを設定したが、ステップＳ２に代わり、ステップＳ３においてＸ線画像４０の中心座標を求めその中心座標から上下左右方向に所定画素数離れた所にＲＯＩを設定し、そのＲＯＩ内で横隔膜の検出を行うように構成してもよい。この場合の所定画素数とは、画像中心から左右の体側位置付近（望ましくは体側位置よりも画像中心に近いＸ座標）までの画素数であって、過去に撮影した画像や診療放射線技師等の経験を基に予め設定された数値である。
【００４５】
また、左右いずれかの一の体側位置を検出し、その体側位置から左または右のいずれか一方に所定画素数広げたＸ座標位置にＲＯＩを設定してもよい。
【００４６】
また、図３のステップＳ４で得られた横隔膜位置の皮膚線のＸ座標（Ｘ７、Ｘ８）を用いて、式（１２）のように平均値（両肺野の中心位置、Ｘｃ）を計算して、式（１３）、式（１４）で示した方法で、横隔膜位置の皮膚線間距離（Ｘ８−Ｘ７）を用いて、縦半切サイズや、横半切サイズにトリミング枠を決定してもよい。
【００４７】
つまり、横隔膜位置での左右の皮膚線間距離（Ｘ８−Ｘ７）にマージンｄを加算した長さが１４インチ以下の場合は、式（１３）で示すように、横隔膜位置の両皮膚線のＸ座標情報を用いて、縦半切のトリミング枠を決定する。
【００４８】
また、１４インチを超える場合は、式（１４）のように、横隔膜位置の両皮膚線のＸ座標情報を用いずに、上付けの横半切サイズのトリミング枠を決定すればよい。なお、マージンｄの値は、例えば７１（１０ｍｍ）とすればよい。
【００４９】
（数１２）
Ｘｃ＝（Ｘ７＋Ｘ８）／２  
（数１３）
Ｘ８−Ｘ７＋ｄ＜＝２５４０（１４インチ以下の場合）
トリミング枠    左端Ｘ＝Ｘｃ−１２７０
右端Ｘ＝Ｘｃ＋１２７０
上端Ｙ＝０
下端Ｙ＝２９９９
（数１４）
Ｘ８−Ｘ７＋ｄ＞２５４０（１４インチを超える場合）
トリミング枠    左端Ｘ＝０
右端Ｘ＝２９９９
上端Ｙ＝０
下端Ｙ＝２５４０
【００５０】
また、上記実施形態では、胸部正面画像について述べたが、胸部正面画像に限らず、横隔膜を含まない部位の撮影画像、例えば頭部正面画像図９（a）に本発明を適用してもよい。この場合には、画像読込部１１ａが画像データを読み込み、体側位置検出部１１ｂが左右の体側を検出し、トリミング枠位置検出部１１eがその体側位置から固定の幅、ｄ画素左右に広げた位置にトリミング枠を設定することにより、照射野に対する被検体のずれに関係なく、被検体の体側を基準としてトリミング枠の位置決めを行うことができる。
【００５１】
また、図９（ｂ）、図９（ｃ）に示すように被検体の左肩周辺部位及び右肩周辺部位を一般撮影した画像についても、体側位置検出部１１ｂが左右どちらかの体側位置を検出し、その体側位置から固定の幅、ｄ１、ｄ２画素左右どちらかにひろげた位置にトリミング枠を設定することにより、被検体の体側位置を検出し、その検出結果を基準としたトリミング枠の設定を行うことができる。ｄ１、ｄ２は、検出した体側位置を中心に、左右それぞれ異なる値であって、肩がトリミング後の画像のほぼ左右方向の中心に位置にするように決められる。
【００５２】
特に胸部正面画像だけではなく、複数種類の画像を読み込んでトリミング枠の設定を行う場合には、例えば図１０のように画像の種類（オーダー）や仕上がりの画像サイズに応じてａ、ｂ、ｃ、ｄの値、及び変化量が大きい部分を検出する方向を定めたテーブルを予めデータ記録装置１３に格納しておき、画像読込部１１ａが画像データとともにオーダー情報を読み込んで、体側位置検出部１１ｂ、横隔膜位置検出部１１ｃ、皮膚線位置検出部１１ｄ、トリミング枠位置検出部１１eが、それぞれの処理に必要な数値を上記テーブルから読み込んで処理を行ってもよい。
【図面の簡単な説明】
【００５３】
【図１】本発明のハードウェア構成図。
【図２】本発明に係る画像処理プログラムのブロック図。
【図３】本発明の処理例を示すフローチャート。
【図４】体側位置検出部の処理内容を示す図であって、図４（a）は画像と体側位置との位置関係を示す模式図であり、図４（ｂ）は画素値プロファイルを示し、図４（ｃ）は画素値比プロファイルを示す図。
【図５】横隔膜位置検出部の処理内容を示す図であり、図５（a）は画像とＲＯＩ及び横隔膜位置との位置関係を示す模式図であり、図５（ｂ）は画素値の最大値プロファイルを示し、図５（ｃ）は最大値比プロファイルを示す図。
【図６】皮膚線位置検出部の処理内容を示す図であり、図６（a）は画像と横隔膜位置の皮膚線位置との位置関係を示す模式図であり、図６（ｂ）は画素値プロファイルを示し、図６（ｃ）は画素値比プロファイルを示す図。
【図７】トリミング枠位置設定部の処理内容を示す図。
【図８】トリミング枠の表示例を示す図。
【図９】トリミング枠の表示例を示す図であって、図９（ａ）は頭部正面画像、図９（ｂ）は左肩正面図、図９（ｃ）は右肩正面図における各表示例を示す図。
【図１０】オーダー及び撮影サイズに対応した各パラメータ値を格納したテーブル例を示す図。
【符号の説明】
【００５４】
１：画像表示システム、２：Ｘ線撮像装置、３：画像データベース、４：ＬＡＮ、５：端末装置、１０：画像処理装置、１５：画像表示装置、４０：Ｘ線画像、５０：ＲＯＩ、８０：トリミング枠
【図１】
0005228228.tif 000007
【図２】
0005228228.tif 000008
【図３】
0005228228.tif 000009
【図９】
0005228228.tif 000010
【図１０】
0005228228.tif 000011
【図４】
0005228228.tif 000012
【図５】
0005228228.tif 000013
【図６】
0005228228.tif 000014
【図７】
0005228228.tif 000015
【図８】
0005228228.tif 000016